(57)【要約】【課題】簡素な構造であって外観面で良好に片口金蛍光ランプの最冷点の温度上昇を抑えてランプ光束を向上できる照明器具を提供する。【解決手段】照明器具１０は、下方が開口された器具本体１１と、器具本体１１に収容される片口金蛍光ランプ１２と、器具本体１１の内側に取り付けられて片口金蛍光ランプ１２の光を反射する反射板２２とを備え、反射板２２は、片口金蛍光ランプ１２の最冷点の近傍の領域に、反射板２２よりも反射効率が高く、熱反射効率が高い副反射面３０を有する。【選択図】図２
2012089429.tif 000002
【特許請求の範囲】
【請求項１】
下方が開口された器具本体と、
前記器具本体に収容される片口金蛍光ランプと、
前記器具本体の内側に取り付けられて前記片口金蛍光ランプの光を反射する反射板とを備え、
前記反射板は、前記片口金蛍光ランプの最冷点の近傍の領域に、前記反射板よりも反射効率が高く、熱反射効率が高い副反射面を有する照明器具。
【請求項２】
請求項１に記載の照明器具において、
前記器具本体は、ランプ支持ばねを有し、
前記副反射面は、前記ランプ支持ばねよりも前記最冷点側に配置される照明器具。
【請求項３】
請求項１または請求項２に記載の照明器具において、
前記副反射面は、前記片口金蛍光ランプの前記最冷点付近の投影形状と同形状である照明器具。
【発明の詳細な説明】
【技術分野】
【０００１】
本発明は、片口金蛍光ランプを用いてデスクスタンドに適用される照明器具に関する。
【背景技術】
【０００２】
従来より、器具本体の内側にアルミニウム製の放熱体を取り付け、放熱体に延設部を一体に設けた照明器具が知られている（例えば、特許文献１参照）。
特許文献１に記載の照明器具は、放熱体の延設部を通じて蛍光ランプの最冷部の近傍の熱を器具本体の外部に放出することにより、蛍光ランプの最冷部を冷却して光束の低下を抑制できる。
【先行技術文献】
【特許文献】
【０００３】
【特許文献１】特開平１１−１９１３１４号公報（図１、段落００２１）
【発明の概要】
【発明が解決しようとする課題】
【０００４】
しかし、前述した特許文献１に記載された照明器具は、放熱体に延設部を一体に設けている。
従って、前述した特許文献１に記載された照明器具は、放熱体の構造が複雑になって簡素な構造にならない。
【０００５】
ところで、前述した特許文献１に記載された照明器具と同様に、器具本体の天井面側に複数の放熱用の孔を設けて片口金蛍光ランプの先端部の熱を放熱するようにした照明器具が提案されている。
しかし、このような従来の照明器具は、器具本体に孔を有するために外観上の面で良好とは言えない。
【０００６】
一般的に、消費電力当たりにどのくらいの明るさを引き出せるかは、エネルギー消費効率で表される。このエネルギー消費効率は、ＪＩＳにより以下の数式に定められている。
【０００７】
【数１】
2012089429.tif 000003
【０００８】
数式１により明らかなように、ランプ温度が高い状況においては、温度補正係数は低い。そのため、エネルギー消費効率を上げるためには、温度補正係数を上げる必要がある。
図５に示すように、ランプ最冷点温度と温度補正係数との関係により明らかなように、温度補正係数を上げるためには、ランプ最冷点温度を下げる必要がある。
【０００９】
本発明は、前述した課題を解決するためになされたものであり、その目的は、簡素な構造であって外観面で良好に片口金蛍光ランプの最冷点の温度上昇を抑えてランプ光束を向上できる照明器具を提供することにある。
【課題を解決するための手段】
【００１０】
本発明に係る照明器具は、下方が開口された器具本体と、前記器具本体に収容される片口金蛍光ランプと、前記器具本体の内側に取り付けられて前記片口金蛍光ランプの光を反射する反射板とを備え、前記反射板は、前記片口金蛍光ランプの最冷点の近傍の領域に、前記反射板よりも反射効率が高く、熱反射効率が高い副反射面を有する。
【００１１】
本発明に係る照明器具は、前記器具本体は、ランプ支持ばねを有し、前記副反射面は、前記ランプ支持ばねよりも前記最冷点側に配置される。
【００１２】
本発明に係る照明器具は、前記副反射面は、前記片口金蛍光ランプの前記最冷点付近の投影形状と同形状である。
【発明の効果】
【００１３】
本発明に係る照明器具によれば、簡素な構造であって外観面で良好に片口金蛍光ランプの最冷点の温度上昇を抑えてランプ光束を向上できるという効果を奏する。
【図面の簡単な説明】
【００１４】
【図１】本発明に係る一実施形態の照明器具の外観斜視図
【図２】本発明に係る一実施形態の照明器具の垂直断面図
【図３】図２のＡ−Ａ線断面図
【図４】本発明に係る一実施形態の照明器具の反射板周りの斜め下方から視た外観斜視図
【図５】照明器具におけるランプ最冷点温度と温度補正係数との関係図
【発明を実施するための形態】
【００１５】
以下、本発明に係る一実施形態の照明器具について図面を参照して説明する。
図１に示すように、本発明に係る一実施形態の照明器具１０は、下方が開口された器具本体１１と、器具本体１１に収容される片口金蛍光ランプ１２と、片口金蛍光ランプ１２の照射方向を変更させるためのアーム１３と、不図示の点灯装置を収容してアーム１３を支持する電源タワー１４と、電源タワー１４の前面に配置されたスイッチ１５と、点灯装置に電気的に接続されて電源タワー１４から引き出された電源線１６と、電源タワー１４を支持する基台１７と、を備えるデスクスタンドである。
【００１６】
図２に示すように、器具本体１１は、金属製または硬質の樹脂製であり、下方に開口部１８を有するとともに基端部にソケット収容部１９を有し、先端部に端板２０を有する。器具本体１１は、ソケット収容部１９にソケット２１が取り付けられている。器具本体１１は、内側に反射板２２を有し、ソケット２１の反対側にランプ支持ばね２３を有する。
従って、器具本体１１は、従来のもののように、天井面側に孔を有しないために、外観面で良好である。
【００１７】
片口金蛍光ランプ１２は、片方である基端部に口金２４を有する。片口金蛍光ランプ１２は、基端部の口金２４がソケット２１に電気的に接続可能に装着され、口金２４の反対側の先端部２５側がランプ支持ばね２３に嵌め付けられることにより、器具本体１１に取り付けられる。ソケット２１は点灯装置に電気的に接続されている。
【００１８】
反射板２２は、金属製または硬質の樹脂製であって、天板２６と、一対の側板２７とを有する。反射板２２は、天板２６の裏面と側板２７の裏面とに主反射面２８を有するとともにし、下方に開口部２９を有し、一対の片口金蛍光ランプ１２を内側に収容している。
【００１９】
そして、反射板２２は、片口金蛍光ランプ１２の先端部２５に対応した天板２６の裏面に副反射面３０を有する。副反射面３０は、片口金蛍光ランプ１２の最冷点の近傍の領域に、反射板２２の主反射面２８よりも反射効率が高く、熱反射効率が高い、例えばアルミニウム製のシート状反射部材であって天板２６の裏面に貼り付けられている。
【００２０】
図３に示すように、副反射面３０は、一対の側板２７には設けられておらず、天板２６の裏面にのみ設けられている。それは、副反射面３０が、片口金蛍光ランプ１２からの放射熱を下方の開口部２９から外部に向けて積極的に反射させる機能を有するからである。
従って、副反射面３０は、従来のもののように、放熱体に延設部を一体に成形した複雑な構造と比べて、簡素な構造になる。
【００２１】
図４に示すように、副反射面３０は、ランプ支持ばね２３よりも最冷点側の先端部２５側に配置されている。
従って、副反射面３０がランプ支持ばね２３よりも最冷点側に配置されるために、片口金蛍光ランプ１２の最冷点の温度上昇を効率よく抑えることができる。
【００２２】
副反射面３０は、片口金蛍光ランプ１２が点灯された際の最冷点付近である先端部２５付近の投影形状と同形状に形成されている。
従って、片口金蛍光ランプ１２からの放射熱を反射板２２の下方の開口部２９から外部に向けて反射させるための副反射面３０の形状を最低限の大きさに設定できる。
【００２３】
図２に戻り、照明器具１０は、片口金蛍光ランプ１２が点灯されることにより、放射熱が反射板２２の主反射面２８により反射される。このとき、片口金蛍光ランプ１２の先端部２５における放射熱ＲＡは副反射面３０により反射板２２の下方の開口部２９から外部に向けて反射される。
従って、副反射面３０により片口金蛍光ランプ１２の先端部２５における放射熱ＲＡが反射板２２の下方の開口部２９から外部に向けて反射されることにより、片口金蛍光ランプ１２の最冷点の温度上昇が抑えられる。
【００２４】
以上、説明したように一実施形態の照明器具１０によれば、片口金蛍光ランプ１２の最冷点の近傍の領域において反射板２２よりも反射効率が高く、熱反射効率が高い副反射面３０により、片口金蛍光ランプ１２の先端部２５における放射熱ＲＡが反射板２２の下方の開口部２９から外部に向けて反射されることにより、簡素な構造であって外観面で良好に片口金蛍光ランプ１２の最冷点の温度上昇を抑えてランプ光束を向上でき、エネルギー消費効率を向上できる。
【００２５】
また、一実施形態の照明器具１０によれば、副反射面３０がランプ支持ばね２３よりも最冷点側に配置されるために、片口金蛍光ランプ１２の最冷点の温度上昇を効率よく抑えることができる。
【００２６】
そして、一実施形態の照明器具１０によれば、片口金蛍光ランプ１２の先端部２５における放射熱ＲＡを反射板２２の下方の開口部２９から外部に向けて反射させるための副反射面３０の形状を最低限の大きさに設定できる。
【００２７】
なお、本発明の照明器具において器具本体，片口金蛍光ランプ，ソケット，ランプ支持ばね等は、前述した実施形態に限定されるものでなく、適宜な変形や改良等が可能である。
【符号の説明】
【００２８】
１０  照明器具
１１  器具本体
１２  片口金蛍光ランプ
２２  反射板
２３  ランプ支持ばね
３０  副反射面
【図１】
2012089429.tif 000004
【図２】
2012089429.tif 000005
【図３】
2012089429.tif 000006
【図４】
2012089429.tif 000007
【図５】
2012089429.tif 000008